(57)【要約】【課題】サクションパイプの熱交換長さを確保しつつ、庫内への熱影響を抑制した冷蔵庫を提供する。【解決手段】冷蔵温度帯室と、冷凍温度帯室と、前記冷蔵温度帯室と前記冷凍温度帯室との間を仕切る断熱仕切壁と、冷媒を吐出する圧縮機と、冷媒の熱を外気に放熱する放熱器と、を有し、冷媒を減圧する第一のキャピラリチューブと、前記冷蔵温度帯室内から吸熱する第一の蒸発器と、前記第一の蒸発器から流れ出た冷媒を前記圧縮機に戻す第一のサクションパイプと、冷媒を減圧する第二のキャピラリチューブと、前記冷凍温度帯室内から吸熱する第二の蒸発器と、前記第二の蒸発器から流れ出た冷媒を前記圧縮機に戻す第二のサクションパイプと、を備えた冷蔵庫において、前記第一のキャピラリチューブと前記第一のサクションパイプとが熱交換する熱交換部は、その全長の中間位置より前記圧縮機に近い側が、前記断熱仕切壁または前記冷蔵温度帯室の背面で経路延長している。【選択図】図５
2019138514.tif 000002
【特許請求の範囲】
【請求項１】
冷蔵温度帯室と、冷凍温度帯室と、前記冷蔵温度帯室と前記冷凍温度帯室との間を仕切る断熱仕切壁と、冷媒を吐出する圧縮機と、冷媒の熱を外気に放熱する放熱器と、を有し、
冷媒を減圧する第一のキャピラリチューブと、前記冷蔵温度帯室内から吸熱する第一の蒸発器と、前記第一の蒸発器から流れ出た冷媒を前記圧縮機に戻す第一のサクションパイプと、
冷媒を減圧する第二のキャピラリチューブと、前記冷凍温度帯室内から吸熱する第二の蒸発器と、前記第二の蒸発器から流れ出た冷媒を前記圧縮機に戻す第二のサクションパイプと、
を備えた冷蔵庫において、
前記第一のキャピラリチューブと前記第一のサクションパイプとが熱交換する熱交換部は、その全長の中間位置より前記圧縮機に近い側が、前記断熱仕切壁または前記冷蔵温度帯室の背面で経路延長していることを特徴とする冷蔵庫。
【請求項２】
請求項１に記載の冷蔵庫において、前記熱交換部は、前記冷凍温度帯室の背面では経路延長していないことを特徴とする冷蔵庫。
【請求項３】
冷蔵温度帯室と、冷凍温度帯室と、前記冷蔵温度帯室と前記冷凍温度帯室との間を仕切る断熱仕切壁と、冷媒を吐出する圧縮機と、冷媒の熱を外気に放熱する放熱器と、を有し、
冷媒を減圧する第一のキャピラリチューブと、前記冷蔵温度帯室内から吸熱する第一の蒸発器と、前記第一の蒸発器から流れ出た冷媒を前記圧縮機に戻す第一のサクションパイプと、
冷媒を減圧する第二のキャピラリチューブと、前記冷凍温度帯室内から吸熱する第二の蒸発器と、前記第二の蒸発器から流れ出た冷媒を前記圧縮機に戻す第二のサクションパイプと、
を備えた冷蔵庫において、
前記第一のキャピラリチューブと前記第一のサクションパイプとが熱交換する熱交換部は、その全長の中間位置より前記圧縮機に近い側が、前記断熱仕切壁または前記冷蔵温度帯室の背面でのみ略水平方向へ延長していることを特徴とする冷蔵庫。
【請求項４】
冷蔵温度帯室と、冷凍温度帯室と、前記冷蔵温度帯室と前記冷凍温度帯室との間を仕切る断熱仕切壁と、冷媒を吐出する圧縮機と、冷媒の熱を外気に放熱する放熱器と、を有し、
冷媒を減圧する第一のキャピラリチューブと、前記冷蔵温度帯室内から吸熱する第一の蒸発器と、前記第一の蒸発器から流れ出た冷媒を前記圧縮機に戻す第一のサクションパイプと、
冷媒を減圧する第二のキャピラリチューブと、前記冷凍温度帯室内から吸熱する第二の蒸発器と、前記第二の蒸発器から流れ出た冷媒を前記圧縮機に戻す第二のサクションパイプと、
を備えた冷蔵庫において、
前記第一のキャピラリチューブと前記第一のサクションパイプとが熱交換する熱交換部は、その全長の中間位置より前記圧縮機に近い側が、前記冷凍温度帯室の背面を通る長さより、前記断熱仕切壁または前記冷蔵温度帯室の背面を通る長さの方が長いことを特徴とする冷蔵庫。
【請求項５】
請求項１乃至４のいずれかに記載の冷蔵庫において、上から順に、前記第一の蒸発器で冷却される冷蔵室、前記第二の蒸発器で冷却される冷凍室、前記第二の蒸発器で冷却される野菜室、を備え、前記熱交換部は、前記第二の蒸発器の除霜水を排水するトイの背面部に埋設されたことを特徴とする冷蔵庫。
【発明の詳細な説明】
【技術分野】
【０００１】
本発明は、冷蔵庫に関する。
【背景技術】
【０００２】
従来、冷蔵庫の冷凍サイクルは、圧縮機、放熱器、キャピラリチューブ、蒸発器、サクションパイプを順次流れた後、圧縮機に戻るように構成されている。一般的に、キャピラリチューブとサクションパイプは、ロウ付け又は半田付けされて互いに熱交換できるようにしてあるが、圧縮機に至るまでに外気温度相当に温度を上昇させるためには十分に熱交換長さを確保する必要がある。一方で、サクションパイプが温度上昇すると、冷蔵庫内への熱影響が発生し、冷却能力が損なわれる可能性がある。そのため、複数の蒸発器を使用する場合、サクションパイプが複数となり、冷蔵庫への影響を抑制しながら配管形状を決定する必要がある。例えば特許文献１では、サクションパイプを冷蔵庫隅部へ配することで庫内への熱影響の抑制を図っている。
【先行技術文献】
【特許文献】
【０００３】
【特許文献１】特開２０１６−８８０９号公報
【発明の概要】
【発明が解決しようとする課題】
【０００４】
しかしながら、上記のように隅部へ限定してサクションパイプを配すると、十分な熱交換長さの確保をするのが困難である。
【０００５】
本発明の目的は、サクションパイプの熱交換長さを確保しつつ、庫内への熱影響を抑制した冷蔵庫を提供することにある。
【課題を解決するための手段】
【０００６】
上記課題を鑑みてなされた本発明は、冷蔵温度帯室と、冷凍温度帯室と、前記冷蔵温度帯室と前記冷凍温度帯室との間を仕切る断熱仕切壁と、冷媒を吐出する圧縮機と、冷媒の熱を外気に放熱する放熱器と、を有し、冷媒を減圧する第一のキャピラリチューブと、前記冷蔵温度帯室内から吸熱する第一の蒸発器と、前記第一の蒸発器から流れ出た冷媒を前記圧縮機に戻す第一のサクションパイプと、冷媒を減圧する第二のキャピラリチューブと、前記冷凍温度帯室内から吸熱する第二の蒸発器と、前記第二の蒸発器から流れ出た冷媒を前記圧縮機に戻す第二のサクションパイプと、を備えた冷蔵庫において、前記第一のキャピラリチューブと前記第一のサクションパイプとが熱交換する熱交換部は、その全長の中間位置より前記圧縮機に近い側が、前記断熱仕切壁または前記冷蔵温度帯室の背面で経路延長している。
【発明の効果】
【０００７】
本発明によれば、サクションパイプの熱交換長さを確保しつつ、庫内への熱影響を抑制した冷蔵庫を提供できる。
【図面の簡単な説明】
【０００８】
【図１】実施例に係わる冷蔵庫の正面図
【図２】図１のＡ−Ａ断面図
【図３】図２のＢ−Ｂ断面図
【図４】実施例の冷蔵庫における冷凍サイクル構成を示す概略図
【図５】図２のC−Ｃ断面図
【図６】実施例の冷蔵庫におけるサクションパイプの温度の例
【発明を実施するための形態】
【０００９】
以下、本発明の実施に係る冷蔵庫について説明する。図１は実施例に係わる冷蔵庫の正面図、図２は図１のＡ−Ａ断面図、図３は図２のＢ−Ｂ断面図である。冷蔵庫１の箱体１０は、上方から冷蔵室２、左右に併設された製氷室３と上段冷凍室４、下段冷凍室５、野菜室６の順番で貯蔵室を有している。冷蔵庫１はそれぞれの貯蔵室の開口を開閉するドアを備えている。これらのドアは、冷蔵室２の開口を開閉する、左右に分割された回転式の冷蔵室ドア２ａ、２ｂと、製氷室３、上段冷凍室４、下段冷凍室５、野菜室６の開口をそれぞれ開閉する引き出し式の製氷室ドア３ａ、上段冷凍室ドア４ａ、下段冷凍室ドア５ａ、野菜室ドア６ａである。以下では、製氷室３、上段冷凍室４、下段冷凍室５は、まとめて冷凍室７と呼ぶ。
【００１０】
冷凍室７は、基本的に庫内を冷凍温度帯（０℃未満）の例えば平均的にー１８℃程度にした貯蔵室であり、冷蔵室２及び野菜室は庫内を冷蔵温度帯（０℃以上）とし、例えば冷蔵室２は平均的に４℃程度、野菜室は平均的に７℃程度にした貯蔵室である。
【００１１】
ドア２ａには庫内の温度設定の操作を行う操作部２６を設けている。冷蔵庫１とドア２ａ、２ｂを固定するためにドアヒンジ（図示せず）が冷蔵室２上部及び下部に設けてあり、上部のドアヒンジはドアヒンジカバー１６で覆われている。
【００１２】
図２に示すように、外箱１０ａと内箱１０ｂとの間に発泡断熱材（例えば発泡ウレタン）を充填して形成される箱体１０により、冷蔵庫１の庫外と庫内は隔てられている。箱体１０には発泡断熱材に加えて複数の真空断熱材２５を、鋼板製の外箱１０ａと合成樹脂製の内箱１０ｂとの間に実装している。冷蔵室２と、上段冷凍室４及び製氷室３は断熱仕切壁２８によって隔てられ、同様に下段冷凍室５と野菜室６は断熱仕切壁２９によって隔てられている。また、製氷室３、上段冷凍室４、及び下段冷凍室５の各貯蔵室の前面側には、ドア３ａ、４ａ、５ａの隙間から冷凍室７内の空気が庫外へ漏れ、庫外の空気が各貯蔵室に侵入しないよう、断熱仕切壁３０を設けている。
【００１３】
冷蔵室２のドア２ａ、２ｂの庫内側には複数のドアポケット３３ａ、３３ｂ、３３ｃと、複数の棚３４ａ、３４ｂ、３４ｃ、３４ｄを設け、複数の貯蔵スペースに区画されている。冷凍室７及び野菜室６には、それぞれドア３ａ、４ａ、５ａ、６ａと一体に引き出される製氷室容器（図示せず）、上段冷凍室容器４ｂ、下段冷凍室容器５ｂ、野菜室容器６ｂを備えている
断熱仕切壁２８の上方には、冷蔵室２の温度帯よりも低めに設定されたチルドルーム３５を設けている。本チルドルームは、例えば後述するＲ蒸発器１４ａとＲファン９ａの制御、及び断熱仕切壁２８内に設けたヒータ（図示せず）により、冷蔵温度帯の例えば約０〜３℃にするモードと冷凍温度帯の例えば約−３〜０℃にするモードに切換えることができる。
【００１４】
冷蔵用蒸発器であるＲ蒸発器１４ａは冷蔵室２の略背部に備えた冷蔵用蒸発器室であるＲ蒸発器室８ａ内に設けてある。Ｒ蒸発器１４ａと熱交換して低温になった空気は、Ｒ蒸発器１４ａの上方に設けた冷蔵用ファンであるＲファン９ａにより、冷蔵室風路１１、冷蔵室吐出口１１ａを介して冷蔵室２に送風され、冷蔵室２内を冷却する。冷蔵室２に送風された空気は冷蔵室戻り口１５ａ及び１５ｂ（図３参照）からＲ蒸発器室８ａに戻り、再びＲ蒸発器１４ａにより冷却される。
【００１５】
冷凍用蒸発器であるＦ蒸発器１４ｂは冷凍室７の略背部に備えた冷凍用蒸発器室であるＦ蒸発器室８ｂ内に設けてある。Ｆ蒸発器１４ｂと熱交換して低温になった空気は、Ｆ蒸発器１４ｂの上方に設けた冷凍用ファンであるＦファン９ｂにより、冷凍室風路１２、冷凍室吐出口１２ａを介して冷凍室７に送風し、冷凍室７内を冷却する。冷凍室７に送風された空気は冷凍室戻り口１７からＦ蒸発器室８ｂに戻り、再びＦ蒸発器１４ｂにより冷却される。
【００１６】
本実施例の冷蔵庫１では、野菜室６もＦ蒸発器１４ｂで低温にした空気で冷却する。Ｆ蒸発器１４ｂで低温になったＦ蒸発器室８ｂの空気は、Ｆファン９ｂにより野菜室風路（図示せず）、野菜室ダンパ（図示せず）を介して野菜室６に送風し、野菜室６内を冷却する。野菜室６が低温の場合は、野菜室ダンパを閉じることで野菜室６の冷却を抑える。なお、野菜室６に送風された空気は断熱仕切壁２９の下部前方に設けた野菜室側の冷気戻り部１８ａから野菜室冷気戻りダクト１８を介してＦ蒸発器室８ｂの下部に戻る。
【００１７】
冷蔵室２、冷凍室７、野菜室６の庫内背面側には、それぞれ冷蔵室温度センサ４１、冷凍室温度センサ４２、野菜室温度センサ４３を設け、Ｒ蒸発器１４ａの上部にはＲ蒸発器温度センサ４０ａ、Ｆ蒸発器１４ｂの上部にはＦ蒸発器温度センサ４０ｂを設け、これらのセンサにより、冷蔵室２、冷凍室７、野菜室６、Ｒ蒸発器１４ａ、及びＦ蒸発器１４ｂの温度を検知している。また、冷蔵庫１の天井部のドアヒンジカバー１６の内部には、外気（庫外空気）の温度、湿度を検知する外気温度センサ３７を設けている。その他のセンサとして、ドア２ａ、２ｂ、３ａ、４ａ、５ａ、６ａの開閉状態をそれぞれ検知するドアセンサ（図示せず）や、後述する仕切部温度検知手段である仕切部温度センサ１００等も設けている。
【００１８】
図２及び図３に示すように、Ｆ蒸発器室８ｂの下部には、Ｆ蒸発器１４ｂを加熱する除霜ヒータ２１を設けている。除霜ヒータ２１は、例えば５０Ｗ〜２００Ｗの電気ヒータで、本実施例では１５０Ｗのラジアントヒータとしている。Ｆ蒸発器１４ｂの除霜時に発生した除霜水（融解水）はＦ蒸発器室８ｂの下部に設けたトイ２３ｂに落下し、排水口２２ｂ、Ｆ排水管２７ｂを介して圧縮機２４の上部に設けた蒸発皿３２に排出される。
【００１９】
また、Ｒ蒸発器１４ａの除霜方法については図８を用いて後述するが、Ｒ蒸発器１４ａの除霜時に発生した除霜水は、Ｒ蒸発器室８ａの下部に設けたトイ２３ａに落下し、排水口２２ａ、Ｒ排水管２７ａを介して圧縮機２４の上部に設けた蒸発皿３２に排出される。
【００２０】
図３に示すように、トイ２３ａにはトイ２３ａでの除霜水が凍結した際に除霜水を融解させるトイヒータ１０１を設けている。Ｒ排水管２７ａには排水管上部ヒータ１０２及び排水管下部ヒータ１０３を設けている。また、トイ２３ａの最終集水部には残水の有無を検知するためのトイ温度センサ４５が断熱材内部に埋設されている。トイセンサ４５は、発泡ウレタン断熱材に埋設することにより、水の滴下による耐久性低下を避けるように構成されている。また、トイセンサ４５は、トイ２３ａの最終集水部に配置することで、少量の残水に対して反応するように構成されている。残水に対する制御については後述する。トイヒータ１０１、配水管上部ヒータ１０２、或いは配水下部ヒータ１０３の通電を制御している。なお各ヒータ１０１、１０２，１０３は、例えば消費電力２０Ｗ以下と、除霜ヒータ２１よりも消費電力が低い電気ヒータであり、本実施例ではトイヒータ１０１が６Ｗ，排水管上部ヒータ１０２が３Ｗ、排水管下部ヒータ１０３が１Ｗのヒータとしている。
【００２１】
図４はＲ排水管２７ａの構成を示す図である。図中の２０１、２０２は、図３に示す２０１、２０２と同じ高さ位置を示し、範囲２０１は冷凍室７及びＦ蒸発器室８ｂの高さ範囲を表し、範囲２０２は断熱仕切壁２８から断熱仕切壁２９の下端までの高さ範囲を表す。
【００２２】
Ｒ排水管２７ａは、上部は冷凍室７及び冷凍用蒸発器室８から離れるよう排水口２２ａから外箱１０ａ側に向かうよう外向きに傾斜しながら下方に向けて設けられており、この区間に排水管上部ヒータ１０２を設けている。その下部は外箱１０ａの略近傍に設けられており、この区間の断熱仕切壁２９の下端までに排水管下部ヒータ１０３を設けている。その下部（断熱仕切壁２９よりも下部）のＲ排水管２７ａは蒸発皿３２に除霜水が排出されるよう内向きに傾斜している。なお、本実施例では、排水管上部ヒータ１０２と排水管下部ヒータ１０３は何れも熱伝導率の高いアルミシールによりＲ排水管２７ａに固定しており、これにより、ヒータ線が直接触れていない箇所もアルミシールによる熱伝導で加熱できる構成にしている。
【００２３】
上記のように排水管上部ヒータ１０２と排水管下部ヒータ１０３を配設したことで、排水管上部ヒータ１０２と排水管下部ヒータ１０３の上端は、範囲２０１の上端よりも高い位置まで設けられ、また下端は範囲２０１の下端よりも低い位置まで設けられている。範囲２０１内のＲ排水管２７ａは、冷凍温度帯の冷凍室７及びＦ蒸発器室８ｂにより冷却されるため、Ｒ排水管２７ａ内がマイナス温度となり、Ｒ排水管２７ａ内で除霜水が凍結する可能性がある。一方、範囲２０１に排水管上部ヒータ１０２と排水管下部ヒータ１０３を設けることで、排水管内で水が凍結した場合も融解させることができ、すなわちＲ排水管２７ａから蒸発皿３２（図３参照）に排水できる。
【００２４】
さらに、排水管上部ヒータ１０２の上端は、範囲２０２の上端と同等または又はそれよりも高い位置となるよう設けられ、排水管下部ヒータ１０３の下端は範囲２０２の下端と同等またはそれよりも低い位置となるよう設けられている。断熱仕切壁２８及び断熱仕切壁２９は、冷凍温度帯の冷凍室７及びＦ蒸発器室８ｂと接しており、少なくとも一部はマイナス温度になる。従って、断熱仕切壁２８及び断熱仕切壁２９の高さ範囲のＲ排水管２７ａ内もマイナス温度となる可能性があるが、範囲２０２と同等以上の範囲まで排水管上部ヒータ１０２と排水管下部ヒータ１０３を設けることで、より確実にＲ排水管２７ａから蒸発皿３２（図３参照）に排水できる。なお、Ｒ排水管２７ａのうち断熱仕切壁２８内部の箇所は、直接断熱仕切壁２８により冷却されて低温になり易いため、特にこの箇所に排水管上部ヒータ１０２を設けることが有効である。
【００２５】
ここで、図２、図３に示すように、トイ２３ａにはＲファン９ａを駆動させると冷蔵室２から冷蔵室蒸発器１４ａへの戻り空気が流れる構成にしている。後述するＲ蒸発器１４ａの除霜運転時はＲファン９ａを駆動させるため、このプラス温度の戻り空気でトイ２３ａを加熱できる。これにより、トイ２３ａでの除霜水の凍結を抑制し、また凍結した場合も融解に必要なトイヒータ１０１の加熱量を抑制することができ省エネルギー性能を高めることができる。
【００２６】
また、排水管２７ａ下部（排水管下部ヒータ１０３を設けた箇所）は、冷凍室７及びＦ蒸発器室８ｂよりも外箱１０ａに近接させている。これにより、特に外気高温時、外箱１０ａを介して外気により加熱できるため、排水管２７ａ下部での凍結を抑制し、また凍結した場合も排水管下部ヒータ１０３の加熱量を抑制することができ省エネルギー性能を高めることができる。一方、外気が低温の場合は排水管下部ヒータ１０３を加熱して除霜水が確実に排出できるようにしている。加えて、Ｒ排水管２７ａは約０℃の除霜水が流れるため、Ｒ排水管２７ａに近接した外箱１０ａが除霜水により冷却され、露点温度よりも低温になる可能性があるが、排水管下部ヒータ１０３を設けたことで、外気が高湿の場合は後述するＲ第一除霜運転とＲ第二除霜運転時に排水管下部ヒータ１０３に通電して外箱１０ａの温度低下を抑え、外箱１０ａへの結露を抑制できる。
【００２７】
冷蔵庫１の上部（図２参照）には、制御装置の一部であるＣＰＵ、ＲＯＭやＲＡＭ等のメモリ、インターフェース回路等を搭載した制御基板３１を配置している。制御基板３１は、冷蔵室温度センサ４１、冷凍室温度センサ４２、野菜室温度センサ４３、蒸発器温度センサ４０ａ、４０ｂ等と接続され、前述のＣＰＵは、これらの出力値や操作部２６の設定、前述のＲＯＭに予め記録されたプログラム等を基に、圧縮機２４やＲファン９ａ、冷蔵用ファン９ｂ、前述の各ヒータ２１、１０１、１０２、１０３、及び後述する冷媒制御弁５２の制御等を行っている。
【００２８】
図４は、実施例に関わる冷蔵庫の冷凍サイクル（冷媒流路）である。本実施例の冷蔵庫１では、圧縮機２４、冷媒の放熱を行う放熱手段である庫外放熱器５０ａと壁面放熱配管５０ｂ、断熱仕切壁２８、２９、３０の前面部への結露を抑制する結露防止配管５０ｃ、冷媒を減圧させる減圧手段である冷蔵用キャピラリチューブ５３ａと冷凍用キャピラリチューブ５３ｂ、冷媒と庫内の空気を熱交換させて、庫内の熱を吸熱するＲ蒸発器１４ａとＦ蒸発器１４ｂ、冷蔵用キャピラリチューブ５３ａと熱交換を行う冷蔵用サクションパイプ５５ａ、冷凍用キャピラリチューブ５３ｂとの熱交換を行う冷凍用サクションパイプ５５ｂを備え、これらにより庫内を冷却している。また、冷凍サイクル中の水分を除去するドライヤ５１と、液冷媒が圧縮機２４に流入するのを防止する気液分離器５４ａ、５４ｂを備え、さらに冷媒流路を制御する三方弁５２、逆止弁５６、冷媒流を接続する冷媒合流部５７も備えており、これらを冷媒配管により接続することで冷凍サイクルを構成している。なお本実施例の冷蔵庫１は、冷媒に可燃性冷媒のイソブタンを用いている。また、本実施例の圧縮機２４はインバータを備えて回転速度を変えることができる。冷蔵用キャピラリチューブ５３ａと冷蔵用サクションパイプ５５ａとは、ロウ付け又は半田付けされて互いに熱交換できるような熱交換部５９ａを形成しており、冷凍用キャピラリチューブ５３ｂと冷凍用サクションパイプ５５ｂとも、同様に熱交換できるような熱交換部５９ｂを形成している。
【００２９】
三方弁５２は、５２ａ、５２ｂで示す２つの流出口を備え、流出口５２ａ側に冷媒を流す冷蔵モードと、流出口５２ｂ側に冷媒を流す冷凍モードを備え、これらを切換えることができる部材である。また、本実施例の三方弁５２は、流出口５２ａと流出口５２ｂの何れも冷媒が流れないようにする全閉、また何れも冷媒が流れるようにする全開のモードも備え、これらにも切換え可能である。
【００３０】
本実施例の冷蔵庫１では、冷媒は以下のように流れる。圧縮機２４から吐出した冷媒は、庫外放熱器５０ａ、庫外放熱器５０ｂ、結露防止配管５０ｃ、ドライヤ５１の順に流れ、三方弁５２に至る。三方弁５２の流出口５２ａは冷媒配管を介して冷蔵用キャピラリチューブ５３ａと接続され、流出口５２ｂは冷媒配管を介して冷凍用キャピラリチューブ５３ｂと接続されている。
【００３１】
流出口５２ａ側に冷媒が流れるようにすると、流出口５２ａから流出した冷媒は、冷蔵用キャピラリチューブ５３ａ、Ｒ蒸発器１４ａ、気液分離器５４ａ、冷蔵用サクションパイプ５５ａ、冷媒合流部５７の順に流れた後、圧縮機２４に戻る。冷蔵用キャピラリチューブ５３ａで低圧低温になった冷媒がＲ蒸発器１４ａを流れることでＲ蒸発器１４ａが低温となり、Ｒ蒸発器室８ａの空気を冷却することができ、すなわち冷蔵室２を冷却できる。
【００３２】
また三方弁５２を流出口５２ｂ側に冷媒が流れるようにした場合は、流出口５２ｂから流出した冷媒は、冷凍用キャピラリチューブ５３ｂ、Ｆ蒸発器１４ｂ、気液分離器５４ｂ、冷蔵用サクションパイプ５５ａ、逆止弁５６、冷媒合流部５７の順に流れた後、圧縮機２４に戻る。逆止弁５６は、気液分離器５４ｂから冷媒合流部５５側には冷媒が流れ、冷媒合流部５５から気液分離器５４ｂ側へは流れないように配設している。冷凍用キャピラリチューブ５３ｂで低圧低温になった冷媒がＦ蒸発器１４ｂを流れることでＦ蒸発器１４ｂが低温となり、Ｒ蒸発器室８ａの空気を冷却することができ、すなわち冷凍室７を冷却できる。
【００３３】
図５は、図１のＣ−Ｃ断面図であり、実施例に関わる冷蔵庫のサクションパイプ５５ａ、５５ｂ、逆止弁５６と断熱仕切壁２８、２９の位置関係を示している。冷蔵用サクションパイプ５５ａは、Ｒ蒸発器１４ａの背面で略水平方向に有効熱交換長さを長くするように配設され、断熱仕切壁２８を通る。ここで、本実施例では断熱仕切壁２８の背面への配設を最小限としているが、断熱厚さや断熱仕切壁２８の構造的干渉がなければ、サクションパイプとの温度差の少ない冷蔵室２や断熱仕切壁２８の背面で略水平方向に有効熱交換長さを長く（経路延長）するのが良い。その後、冷凍室７の背面を略垂直方向に断熱仕切壁２９、野菜室６の背面まで配設する。冷凍室７の背面への配設は、冷蔵用サクションパイプ５５ａと冷凍室７との温度差が大きく、サクションパイプの熱交換性能の低下や冷凍室７の加熱に繋がるため、最小限に抑える（経路延長しない）のが有効である。本実施例では、サクションパイプとの温度差の少ない野菜室６の背面にて有効熱交換長さを長く（経路延長）しているが、断熱仕切壁２９の背面にて長く（経路延長）してもよい。特に、サクションパイプの下流であるほど温度が上昇し、加熱能力が増加するため、昇温したい箇所に配設すると有効な効果を得られる。冷凍用サクションパイプ５５ｂは、熱交換長さを可能な限り長く（経路延長）することを優先している。但し、高温となるサクションパイプ下流部は断熱仕切壁２９の背面に配設している。その後、逆止弁５６を通り、冷媒合流部５７に至る。
【００３４】
ここで、逆止弁５６を発泡ウレタン断熱材の内部に納めることで、機械室３９の冷媒配管の取り回しが簡易になり、機械室内の高さ方向の省スペース化が可能となり、かつ作業性が向上する。また、逆止弁５６で発生する弁の開閉音等も抑制される。逆止弁５６の音を抑制するためには、逆止弁５６と壁面が接触しないようにクッション材を設ける等の施策も有効である。逆止弁５６は、製造時の熱影響により故障することがあるが、熱負荷にさえ注意を払えば故障することはない。また、顧客使用時に故障が発生することは極めて稀であるため、メンテナンス性を優先することは製造上の大きなメリットになるとは考えにくい。さらに、本実施例の逆止弁５６は円筒形状であるため、発泡ウレタン断熱材の内部に納めることで発泡圧を受けても変形しにくくなっている。  
図６は、サクションパイプ５５ａ、５５ｂの相対的な長さ（蒸発器出口からの長さ／蒸発器出口から圧縮機までの全長）とサクションパイプ５５ａ、５５ｂの温度の関係を示している。尚、図６の冷蔵庫運転条件は無負荷状態であり、外気温度は３０℃である。サクションパイプ５５ａ、５５ｂの温度は、キャピラリチューブ５３ａ、５３ｂとの熱交換により蒸発器出口から下流に流れるほど上昇し、冷媒合流部５７に到達すると、キャピラリチューブ５３ａ、５３ｂの入口温度、すなわち外気温度に近い温度帯となる。そのため、断熱材内部に埋設されたサクションパイプ５５ａ、５５ｂは、冷却された冷蔵庫１に放熱してしまうため、冷凍室７の背面部、特にＦ蒸発器１４ｂの背面を避けるのが有効である。一方で、そのような配置をしようとするとサクションパイプ５５ａ、５５ｂの熱交換長さ（サクションパイプ５５ａ、５５ｂとキャピラリチューブ５３ａ、５３ｂとが熱交換する熱交換部５９ａ、５９ｂの長さ）を十分にとれず、冷却力を損ない省エネ性の悪化につながることがある。そこで、断熱仕切壁２８、２９の背面側でサクションパイプ５５ａ、５５ｂの長さを稼ぐことで、有効に冷蔵庫及びサクションパイプの性能を向上できる。尚、冷蔵庫の性能とは冷却能力及び省エネ性能であり、サクションパイプの性能とは完全に断熱されている状態での熱交換能力と実際の熱交換能力の比を指している。
【００３５】
図５に示すように冷蔵用サクションパイプ５５ａは、Ｒ蒸発器１４ａの温度（例えば−１０℃）がＦ蒸発器１４ｂ（例えば−２５℃）と比較して高温であるため、入口から出口までの全ての箇所において低温部を避けることが有効である。一方で、蒸発器１４ａ、１４ｂから圧縮機２４までの熱交換部５９ａ、５９ｂの全長の中間位置より圧縮機２４に近い側では、サクションパイプ５５a、５５ｂの温度が１５℃程度と高温になっているため、可能な限り冷凍室背面及びＦ蒸発器１４ｂ背面を避けて構成するのが効果的である。特に蒸発器１４ａから圧縮機２４までの熱交換部５９ａの全長の中間より圧縮機２４に近い側は、冷凍温度帯室の背面を通る長さより、断熱仕切壁の背面及び冷蔵温度帯室の背面を通る長さの方が長いので、より高い効果が得られる。更に、この高温部を、Ｆ蒸発器１４ｂの除霜水を排水するトイ２３ｂやＦ排水管２７ｂの背面に埋設することにより、常時加熱し、排水管凍結の抑制に利用してもよい。
【００３６】
また、本実施例では、野菜室６の冷却をＦ蒸発器１４ｂにより行うため、野菜室６の内箱１０ｂの壁面が一時的に冷却される。その場合、野菜室６の室温（例えば６℃）との温度差により露付きが発生することがある。本実施例に示すように、野菜室冷却風路５８、サクションパイプ５５a、５５ｂ、冷媒合流部５７の構成とすることで、サクションパイプによる壁面加熱が行われ、露付きを抑制できる。逆止弁５６の下流温度は、冷凍室冷却運転、冷蔵室冷却運転を問わず温度が上昇するため、逆止弁５６の下流側が野菜室６背面の壁面部になるように配置するのが有効である。但し、Ｆ排水管２７ｂ、または野菜室冷却風路５８が冷却する野菜室６の壁面をサクションパイプ５５a、５５ｂが加熱することにより、サクションパイプの性能が低下し、機械室のサクションパイプの温度が外気温度に対して低下しすぎるとパイプ露付きの発生確率が増加するため、サクションパイプの熱交換長さ等により調整する必要がある。
【００３７】
さらに、本実施例では、Ｆ蒸発器１４ｂの背面には逆止弁５６を埋設しておらず、Ｆ蒸発器１４ｂの出口から逆止弁５６までの配管（熱交換部５９ｂ）長さも、逆止弁５６から圧縮機２４までの配管（熱交換部５９ｂ）長さよりも長いので、庫内への熱影響を最小限に抑制できる。
【００３８】
以上が、本実施の形態例を示す実施例である。なお、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【符号の説明】
【００３９】
１  冷蔵庫
２  冷蔵室
２ａ、２ｂ  冷蔵室ドア
３  製氷室
４  上段冷凍室
５  下段冷凍室冷凍室
３ａ，４ａ、５ａ  冷凍室ドア
６  野菜室
６ａ  野菜室ドア
７  冷凍室（３、４、５の総称）
８ａ  Ｒ蒸発器室（冷蔵用蒸発器室）
８ｂ  Ｆ蒸発器室（冷凍用蒸発器室）
９ａ  Ｒファン（冷蔵用ファン）
９ｂ  Ｆファン（冷凍用ファン）
１０  断熱箱体
１０ａ  外箱
１０ｂ  内箱
１１  冷蔵室風路
１１ａ  冷蔵室吐出口
１２  冷凍室風路
１２ａ  冷凍室吐出口
１４ａ  Ｒ蒸発器（冷蔵用蒸発器）
１４ｂ  Ｆ蒸発器（冷凍用蒸発器）
１５ａ、ｂ  冷蔵室戻り口
１６  ヒンジカバー
１７  冷凍室戻り口
１８  野菜室戻り風路
１８ａ  野菜室戻り口
２１  ラジアントヒータ
２２ａ、２２ｂ  排水口
２３ａ、２３ｂ  トイ
２４  圧縮機
２７ａ  Ｒ排水管
２７ｂ  Ｆ排水管
２８、２９、３０  断熱仕切壁
３１  制御基板
３２  蒸発皿
３５  チルドルーム
３９  機械室
４０ａ  Ｒ蒸発器温度センサ
４０ｂ  Ｆ蒸発器温度センサ
４１  冷蔵室温度センサ
４２  冷凍室温度センサ
４３  野菜室温度センサ
４５  トイ温度センサ
５０ａ、５０ｂ  放熱器
５１  結露抑制パイプ
５２  三方弁（冷媒制御手段）
５３ａ  冷蔵用キャピラリチューブ（減圧手段）
５３ｂ  冷凍用キャピラリチューブ（減圧手段）
５４ａ  冷蔵用気液分離器
５４ｂ  冷凍用気液分離器
５５ａ  冷蔵用サクションパイプ
５５ｂ  冷凍用サクションパイプ
５６  逆止弁
５７  冷媒合流部
５８  野菜室冷却風路
５９ａ、５９ｂ  熱交換部
１０１  トイ部ヒータ
１０２  排水管上部ヒータ
１０３  排水管下部ヒータ
【図１】
2019138514.tif 000003
【図２】
2019138514.tif 000004
【図３】
2019138514.tif 000005
【図４】
2019138514.tif 000006
【図５】
2019138514.tif 000007
【図６】
2019138514.tif 000008